(57)【要約】【課題】多様化する機能に見合う柔軟性を備え、製造を容易にする簡単な構造のヒンジ組立体を提供する。【解決手段】摺動二重軸ヒンジ組立体は、摺動ばね板と固定ばね板とを備える。摺動ばね板は２個の戻り止めと、摺動ばね板の枢軸端に形成された外軸であって携帯用電子装置のカバーに摺動ばね板を枢動可能に取り付ける外軸とを有する。固定ばね板はその近接端に形成された内軸であって前記固定ばね板を携帯用電子装置の基台に枢動可能に取り付ける内軸と、前記戻り止めと係合する２つの摺動ブラケットとを有し、前記摺動ばね板を前記固定ばね板に対して摺動させるべく、前記２個の摺動ブラケットは、２つの摺動溝を対向して規定し前記摺動ばね板の側縁に取り付けられている。そのため、前記携帯用電子装置のカバーは、２つの異なる位置で前記基台に対して枢動する。【選択図】  図１
0003141551.tif 000002
【実用新案登録請求の範囲】
【請求項１】
摺動ばね板と、固定ばね板とを含む摺動二重軸ヒンジ組立体であって、
摺動ばね板は、
軸端と、
摺動端と、
２つの側縁と、
底面と、
前記摺動ばね板の軸端に形成された外軸と、
前記摺動ばね板の摺動端の近傍に対向して取り付けられた２個の戻り止めとを含み、
前記固定ばね板は、
近接端と、
固定ばね板の前記近接端に形成された内軸と、
前記固定ばね板の側縁を受け入れる２つの摺動溝を対向して形成する２個の摺動ブラケットであって、それによって前記摺動ばね板の前記固定ばね板に対する摺動を許す、２個の摺動ブラケットと、
前記固定ばね板上に離れて形成された２個のばね取り付け台と、
前記摺動ばね板の底面に接続され、それぞれ前記固定ばね板のばね取り付け台に接続された２個の弾性部材とを含む固定ばね板とを含む、摺動二重軸ヒンジ組立体。
【請求項２】
摺動ばね板の各戻り止めは、該戻り止めの摺動面から突出する制限突起を有し、
前記固定ばね板の各摺動ブラケットは、前記戻り止めの一方の制限突起と選択的に係合する少なくとも１つの切欠きを有し、それによって前記摺動ばね板を前記固定ばね板に対して定位置に一時的に保持する、請求項１に記載の摺動二重軸ヒンジ組立体。
【請求項３】
前記摺動ばね板の外軸は、
前記摺動ばね板の軸端に離れて形成された２個の外筒と、
前記外軸の外筒にそれぞれ回転可能に取り付けられた２個の外軸棒であってそれぞれがコネクタを有する２個の外軸棒とを含み、
前記固定ばね板の内軸は、
前記固定ばね板の近接端に離れて形成された２個の内筒と、
前記内軸の内筒にそれぞれ回転可能に取り付けられた２個の軸棒であって、それぞれがコネクタを有する２個の軸棒とを含む、請求項１に記載の摺動二重軸ヒンジ組立体。
【考案の詳細な説明】
【技術分野】
【０００１】
本考案は、ヒンジ、特に、異なる位置でカバーが基台に対し摺動及び枢動することを許す摺動二重軸ヒンジ組立体であって、製作を容易にするため簡単な構造を有する摺動二重軸ヒンジ組立体に関する。
【背景技術】
【０００２】
ノートパソコン、携帯電話、ＤＶＤプレーヤを含む携帯用映画再生装置等、ヒンジで連結されたカバー付きの携帯用電子装置は、普通に携行される付属品である。一般的に、携帯電子装置は基台と、カバーと、少なくとも1個のヒンジとを含む。カバーにはディスプレーを取り付けることができる。前記ヒンジはカバーを基台に接続し、携帯用電子装置の使用時にカバーが基台に対して枢動することを可能にする。
【０００３】
さらに柔軟性を与えるため、ヒンジは、カバーが基台から離れるように枢動された後カバーの回転を許すためさらに開発されてきた。しかし、前記携帯用電子装置の機能又はプログラムがさらに開発されるにつれて、ヒンジがますます使用に関する柔軟性を備えることが要求されている。
【考案の開示】
【考案が解決しようとする課題】
【０００４】
本考案の目的は、短所を克服して問題点を回避又は緩和する摺動二重軸ヒンジ組立体を提供することにある。
【課題を解決するための手段】
【０００５】
本考案の主な目的は、カバーが異なる位置で基台に対してスライドし枢動することを可能にする摺動二重軸ヒンジ組立体であって製造を容易にするため単純な構造を有する二重軸ヒンジ組立体を提供することである。
【０００６】
この目的達成のため、本考案に係る前記摺動二重軸ヒンジ組立体は、摺動ばね板と固定ばね板とを含む。
【０００７】
摺動ばね板は２つの側縁と、外軸と、２個の戻り止めとを備える。前記外軸は前記摺動ばね板の軸端に形成され、携帯用電子装置のカバーに摺動ばね板を枢動可能に取り付ける。前記戻り止めは摺動端の近傍に対向して形成される。
【０００８】
前記固定ばね板は内軸と、２つの摺動ブラケットとを備える。前記内軸は固定ばね板の近接端に形成され、固定ばね板を前記携帯用電子装置の基台に枢動可能に取り付ける。前記摺動ブラケットは、２つの摺動溝を対向して形成し、前記摺動ばね板の側縁に取り付けられて、摺動ばね板の固定ばね板に対する摺動を可能にする。各摺動ブラケットは、一方の戻り止めと係合するための切欠きを少なくとも１つ備え、それによって該摺動ばね板を固定ばね板に対して定位置に一時的に保持する。
【０００９】
かくして、摺動ばね板の両戻り止めが固定ばね板の摺動ブラケットと係合する位置にあるとき、カバーは外軸を経て前記基台に対し枢動することができる、あるいは、摺動ばね板がカバーと共に固定ばね板上を摺動した後、カバーは内軸を経て前記基台に対して枢動することができ、内軸の機能を可能にする。したがって、携帯用電子装置のカバーは、２つの異なる位置で基台に対して枢動し、それによって電子装置への様々な特定応用を提供する。
【考案の効果】
【００１０】
本考案の他の目的、利点及び新規な特徴は、添付の図面と共に下記の詳細な説明からより明白になるであろう。
【考案を実施するための最良の形態】
【００１１】
以下、本考案の実施例を図面を参照して詳細に説明する。
【実施例】
【００１２】
図１、２、３を参照するに、携帯用電子装置は、基台１０と、カバー２０とを含む。基台１０は一時的に平面に載置され、２つの側部と、上部凹所１１と、２個のガイド１２とを備えた上面を有する。上部凹所１１は、基台１０の上面に形成され、２つの取り付け溝１１０を有する。前記取り付け溝１１０は、前記上部凹所１１に隣接して形成され上部凹所１１と連通する。前記ガイド１２は、それぞれ基台１０の上面の両側部に形成され、各ガイド１２は、斜面１２０を有する。
【００１３】
カバー２０は、基台１０の上面に取り付けられ、上面と、底面と、底部凹所２１とを有する。前記カバー２０の上面にはディスプレーを取り付けてもよい。前記底部凹所２１は、カバー２０の底面に形成され、２つの取り付け用スロット２１０を有し、磁気を帯びた内面を備えてもよい。前記取り付け用スロット２１０は、前記底面に隣接しこの底面に連通する。
【００１４】
図４、５、６を参照するに、摺動二重軸ヒンジ組立体は、摺動ばね板３０と、固定ばね板４０と、２個の弾性体５０とを含む。
【００１５】
摺動ばね板３０は、カバー２０の底部凹所２１に取り付けられ、枢軸端と、２つの側縁と、底面と、外軸３１と、２個の戻り止め３２とを有する。外軸３１は、摺動ばね板３０の枢軸端に形成され、２個の外筒３１０と、２本の外軸棒３１１とを有する。２個の外筒３１０は、摺動ばね板３０の枢軸端に離れて形成され、それぞれカバー２０の底部凹所２１の取り付け用スロット２１０に取り付けられる。外軸棒３１１は、外軸３１の外筒３１０にそれぞれ回転可能に取り付けられ、各外軸棒３１１は、カバー２０に固定的に接続されたコネクタを有し、摺動ばね板３０に対するカバー２０の枢動を可能にする。両戻り止め３２は、摺動ばね板３０の摺動端の近傍に対向して取り付けられ、各戻り止め３２は、その側面から突出する制限突起３２０を備えてもよい。摺動ばね板３０は、常磁性のものでもよく、カバー２０の底部凹所２１の磁性を有する内面に取り外し可能に取り付けることができる。
【００１６】
固定ばね板４０は、基台１０の上部凹所１１に取り付けられ、近接端と、内軸４１と、２個の摺動ブラケット４２と、２個のばね取り付け台４３とを有する。内軸４１は、固定ばね板４０の近接端に形成され、２個の内筒４１０と、２本の内軸棒４１１とを有する。内筒４１０は、固定ばね板４０の近接端の離れた箇所に固定的に形成され、基台１０の上部凹所１１の取り付け用溝１１０にそれぞれ取り付けられる。内軸棒４１１は、それぞれ内軸４１の内筒４１０に回転可能に取り付けられ、各内軸棒４１１は、固定ばね板４０が基台１０に対して枢動できるように、基台１０に固定的に接続されるコネクタを有する。摺動ブラケット４２は、２つの摺動溝４２０を対向して形成する。両摺動溝４２０は、摺動ばね板３０が固定ばね板４０に対して摺動できるように、摺動ばね板３０の両側縁に取り付けられる。各摺動ブラケット４２は、一方の戻り止め３２の制限突起３２０と選択的に係合するために、それぞれ形成された少なくとも１個の切欠き４２１、４２２を有する。これにより、摺動ばね板３０を固定ばね板４０に対して一時的に定位置に保持する。ばね取り付け台４３は、固定ばね板４０に離れて形成される。
【００１７】
さらに図６、７、８を参照するに、両弾性体５０はコイル・スプリングであってもよく、摺動ばね板３０の底面に接続され、それぞれ固定ばね板４０のばね取り付け台４３に接続される。一旦戻り止め３２が解除されると、弾性体５０は固定ばね板４０の内軸４１が基台１０の取り付け溝１１０に合致するように、摺動ばね板３０を固定ばね板４０に対して強制的に摺動させる。
【００１８】
戻り止め３２の制限突起３２０が、摺動ブラケット４２の第１の切欠き４２２に取る付けられるとき、摺動ばね板３０は第１ポジションにあり、内軸３１も外軸４１も移動できないためカバー２０は閉じたままであり、この状態は摺動ばね板３０とカバー２０の底部凹所２１との間の磁気的吸引力によって強化される。
【００１９】
さらに図１０を参照するに、戻り止め３２の制限突起３２０が摺動ブラケット４２の第２の切欠き４２１に取り付けられるとき、摺動ばね板３０は第２ポジションにあり、カバー２０の底部凹所２１から取り外すことができ、またカバー２０は、基台１０に対して枢動することができ、外軸３１を利用しての位置決めが可能である。
【００２０】
さらに図９を参照するに、一旦戻り止め３２が摺動ブラケット４２の第１及び第２の切欠き４２１、４２２から開放されると、摺動ばね板３０は、弾性体５０によって第３の位置まで引っ張られ、そのポジションにおいて、固定ばね板４０の内軸４１が基台１０の取り付け用溝１１０に合致する。ところで、ガイド１２の斜面１２０は、カバー２０を基台１０から徐々に遠ざけるように引き離す。そのため、カバー２０を保持する固定ばね板４０は、基台１０に対して枢動可能であり、またカバー２０は内軸４１を経て位置決めが可能である。
【００２１】
したがって、携帯用電子装置のカバー２０は、２つの異なる位置で基台１０に対して枢動可能であり、そのため、異なる特定応用を提供する。
【産業上の利用可能性】
【００２２】
本考案の様々な特徴及び利点を、その構造及び機能の詳細と共に上述したが、この開示は例示的なものに過ぎない。特に形状、寸法、本考案の原理内における部品の配置に関して、添付の請求項を表現している用語の広義な一般的な意味の範囲内で細部における変更が可能である。
【図面の簡単な説明】
【００２３】
【図１】携帯用電子装置に取り付けられた、本考案による摺動二重軸ヒンジ組立体の斜視図。
【図２】前記携帯用電子装置に取り付けられた図１の摺動二重軸ヒンジ組立体の分解斜視図。
【図３】前記携帯用電子装置に取り付けられた図１の摺動二重軸ヒンジ組立体の部分分解斜視図。
【図４】図１における摺動二重軸ヒンジ組立体の部分分解斜視図。
【図５】図１における摺動二重軸ヒンジ組立体の部分分解斜視図。
【図６】仮想線で示したカバーを有する携帯用電子装置に取り付けられた、図１における摺動二重軸ヒンジ組立体の分解斜視図。
【図７】仮想線で示した摺動中の内部部材を備えた、図１における摺動二重軸ヒンジ組立体の第１の操作実施例の斜視図。
【図８】図１における摺動二重軸ヒンジ組立体の操作底面図。
【図９】作動中の図６における摺動二重軸ヒンジ組立体を有する携帯用電子装置の第１の操作実施例の斜視図。
【図１０】枢動中の、図９における摺動二重軸ヒンジ組立体の第２の操作実施例の斜視図。
【符号の説明】
【００２４】
１０            基台
１２            ガイド
２０            カバー
３０            摺動ばね板
３２            戻り止め
４０            固定ばね板
４１            内軸
４２            摺動ブラケット
４３            ばね取り付け台
５０            弾性部材
【図１】
0003141551.tif 000003
【図２】
0003141551.tif 000004
【図３】
0003141551.tif 000005
【図４】
0003141551.tif 000006
【図５】
0003141551.tif 000007
【図６】
0003141551.tif 000008
【図７】
0003141551.tif 000009
【図８】
0003141551.tif 000010
【図９】
0003141551.tif 000011
【図１０】
0003141551.tif 000012